(57)【要約】【課題】本発明の目的は、駆動電圧の供給が停止されている場合、表示情報が維持される不揮発性表示部を備えた閲覧端末装置において、不揮発性表示部に表示されている表示情報に関する記憶が、ユーザに喚起されるための情報を表示する閲覧端末装置を提供することである。【解決手段】電気泳動表示部４への電力の供給が停止の状態から、電力の供給が行われたことに基づいて、閲覧端末装置１の電気泳動表示部４に表示されている表示情報に関連した記憶をユーザに思い出させるためのリマインド情報が表示される。これまで閲覧していた閲覧状況、閲覧していた情報の種類といった表示情報に関する記憶を思い出すことが可能になる。【選択図】図９
2009258675.tif 000002
【特許請求の範囲】
【請求項１】
情報表示指令に従って駆動電圧が供給された時に表示情報を書き換え、駆動電圧の供給が停止された時に表示情報を維持する不揮発性表示部と、
前記不揮発性表示部に駆動電圧を供給して前記不揮発性表示部の表示情報を書き換える駆動モードと、前記不揮発性表示部への駆動電圧の供給を停止して表示情報を維持する停止モードとの間で動作モードを切り替えるモード切替部と、
前記モード切替部が動作モードを停止モードから駆動モードへ切り替える直前に前記不揮発性表示部が表示していた直前表示情報の内容に関連して直前表示情報より前に前記不揮発性表示部が表示していた表示情報を含むリマインド情報を記憶するリマインド情報記憶部と、
前記モード切替部が動作モードを停止モードから駆動モードへ切り替えたときに、前記リマインド情報記憶部からリマインド情報を読み出し、前記不揮発性表示部に表示させる制御部と、
を備えることを特徴とする閲覧端末装置。
【請求項２】
前記不揮発性表示部により表示される内容がタイトル名と複数の章と複数のページとを備える書籍であり、
前記直前表示情報が前記書籍における所定の章に属し、かつ、前記書籍における所定のページであり、
前記リマインド情報記憶部が、前記リマインド情報として、書籍のタイトル名と、章の名前と、ページ数とを記憶することを特徴とする請求項１に記載の閲覧端末装置。
【請求項３】
前記モード切替部が動作モードを駆動モードから停止モードへ切り替えた時から、経過した経過時間を測定するための時間測定部と、
前記時間測定部により測定された経過時間が、所定の時間以上経過したかを判定するための判定部とを備え、
前記判定部が所定の時間以上経過したと判定し、前記モード切替部が動作モードを停止モードから駆動モードへ切り替えた場合、前記制御部は前記リマインド情報記憶部からリマインド情報を読み出し、前記不揮発性表示部に表示させることを特徴とする請求項１または請求項２に記載の閲覧端末装置。
【請求項４】
前記モード切替部が動作モードを駆動モードから停止モードへ切り替えた時から、経過した経過時間を測定するための時間測定部と、
前記時間測定部により測定された経過時間に基づいて、前記不揮発性表示部が前記リマインド情報を表示する表示時間を決定する表示時間決定部とを備えることを特徴とする請求項１から請求項３のいずれかに記載の閲覧端末装置。
【請求項５】
前記制御部が、前記モード切替部が動作モードを停止モードから駆動モードへ切り替えた時から所定の時間の間、前記リマインド情報の表示を維持する情報表示指令を前記不揮発性表示部に出力することを特徴とする請求項１から請求項４のいずれかに記載の閲覧端末装置。
【請求項６】
前記不揮発性表示部が表示する表示情報を記憶する表示情報記憶部と、
複数のフォルダの階層構造により、前記記憶された表示情報をファイルとして管理するファイル管理部と、
前記モード切替部が動作モードを停止モードから駆動モードへ切り替える直前に前記不揮発性表示部により表示されている直前表示情報が前記ファイル管理部によりファイルとして管理されている直前表示フォルダの管理階層位置を記憶する階層位置記憶部とを備え、
前記リマインド情報記憶部が、前記リマインド情報として、前記直前表示フォルダの管理階層位置に対応する階層位置情報を記憶することを特徴とする請求項１から請求項５のいずれかに記載の閲覧端末装置。
【請求項７】
前記リマインド情報記憶部は、前記直前表示フォルダの管理階層位置と少なくともその１つ上位の階層位置との各階層位置のフォルダとファイルとをリマインド情報として記憶し、
前記制御部が、前記各階層位置ごとにフォルダとファイルとをリマインド情報として前記不揮発性表示部に表示させることを特徴とする請求項６に記載の閲覧端末装置。
【請求項８】
前記リマインド情報記憶部は、最上位階層位置から前記直前表示フォルダの管理階層位置までの各階層位置のフォルダとファイルとをリマインド情報として記憶し、
前記制御部が、前記各階層位置ごとにフォルダとファイルとを前記リマインド情報として前記不揮発性表示部に表示させることを特徴とする請求項６に記載の閲覧端末装置。
【請求項９】
前記モード切替部が動作モードを駆動モードから停止モードへ切り替えた時から、経過した経過時間を測定するための時間測定部を備え、
前記リマインド情報記憶部は、最上位階層位置から前記直前表示フォルダの管理階層位置までの各階層位置のフォルダとファイルとをリマインド情報として記憶し、
前記制御部が、前記リマインド情報として前記不揮発性表示部に表示させるリマインド情報の階層位置の数を前記時間測定部により測定された経過時間に基づいて決定することを特徴とする請求項６または請求項８に記載の閲覧端末装置。
【請求項１０】
前記ファイル管理部が、前記表示情報記憶部により記憶されている表示情報のフォルダまたはファイルを管理し、
前記不揮発性表示部が表示する前記直前表示情報が前記ファイル管理部により管理されているフォルダまたはファイルを各階層位置ごとに特定するための特定情報を発生する特定情報発生部を備え、
前記制御部が、前記リマインド情報と共に前記特定情報を、前記不揮発性表示部に表示させることを特徴とする請求項６から請求項９のいずれかに記載の閲覧端末装置。
【請求項１１】
前記制御部が、前記リマインド情報記憶部に記憶される前記リマインド情報を上位の階層位置から順に切り換えて、前記不揮発性表示部に表示させることを特徴とする請求項７から請求項１０のいずれかに記載の閲覧端末装置。
【請求項１２】
前記直前表示情報より前に前記不揮発性表示部が表示した一連の過去表示情報の表示履歴を記憶する表示履歴記憶部と、
前記表示履歴記憶部により記憶されている表示履歴に基づいて、前記過去表示情報を発生する表示情報発生部とを備え、
前記リマインド情報記憶部が、前記表示情報発生部により発生される前記過去表示情報をリマインド情報として記憶することを特徴とする請求項１から請求項５のいずれかに記載の閲覧端末装置。
【請求項１３】
前記直前表示情報より前に前記不揮発性表示部が表示した一連の過去表示情報の表示履歴を記憶する表示履歴記憶部と、
前記表示履歴記憶部により記憶されている表示履歴に基づいて、前記過去表示情報を発生する表示情報発生部とを備え、
前記表示履歴は、前記不揮発性表示部により表示された順に異なる表示履歴として前記表示履歴記憶部により複数記憶され、
前記表示時間決定部が、前記時間測定部により測定された経過時間に基づいて、前記制御部により前記リマインド情報として前記不揮発性表示部に表示させる前記過去表示情報の表示履歴の数を決定することを特徴とする請求項４に記載の閲覧端末装置。
【請求項１４】
前記表示履歴記憶部が記憶する一連の過去表示情報が、前記動作モードが停止モードから切り替えられて駆動モードが今回設定される以前の少なくとも前回設定された駆動モードの間に、前記不揮発性表示部が表示した過去表示情報であることを特徴とする請求項１２または請求項１３に記載の閲覧端末装置。
【請求項１５】
前記表示履歴は、前記不揮発性表示部により表示された順に異なる表示履歴として前記表示履歴記憶部により複数記憶され、
前記制御部が、前記表示履歴記憶部により記憶された時期が遅い表示履歴の前記過去表示情報から先に、前記リマインド情報として表示を切り換えて、前記不揮発性表示部に表示させることを特徴とする請求項１２から請求項１４のいずれかに記載の閲覧端末装置。
【請求項１６】
複数ページからなる表示情報の中で前記不揮発性表示部が現在表示している表示情報のページ番号を記憶するページ番号記憶部を備え、
前記リマインド情報記憶部が、前記ページ番号記憶部により記憶されているページ番号より前のページ番号の表示情報から、前記ページ番号記憶部により記憶されているページ番号の表示情報までの一連の表示情報を、リマインド情報として記憶することを特徴とする請求項１から請求項５のいずれかに記載の閲覧端末装置。
【請求項１７】
複数ページからなる表示情報の中で前記不揮発性表示部が現在表示している表示情報のページ番号を記憶するページ番号記憶部を備え、
前記リマインド情報記憶部が、前記ページ番号記憶部により記憶されているページ番号より前のページ番号の表示情報から、前記ページ番号記憶部により記憶されているページ番号の表示情報までの一連の表示情報を、リマインド情報として記憶し、
前記表示時間決定部が、前記時間測定部により測定された経過時間に基づいて、前記制御部が前記リマインド情報として前記不揮発性表示部に表示させる表示情報のページ数を決定することを特徴とする請求項４に記載の閲覧端末装置。
【請求項１８】
前記制御部が、前記リマインド情報として前記ページ番号記憶部により記憶されているページ番号より前のページ番号から前記ページ番号記憶部に記憶されているページ番号まで、ページ番号の小さい表示情報から順に、表示を切り換えて、前記不揮発性表示部に表示させることを特徴とする請求項１６または請求項１７に記載の閲覧端末装置。
【請求項１９】
情報表示指令に従って駆動電圧が供給された時に表示情報を書き換え、駆動電圧の供給が停止された時に表示情報を維持する不揮発性表示部が現在表示している表示情報の内容に関連して、前に前記不揮発性表示部が表示した少なくとも１つの表示情報を含むリマインド情報を記憶するリマインド情報記憶ステップと、
前記不揮発性表示部に駆動電圧を供給して表示情報を書き換える駆動モードと、駆動電圧の供給を停止して表示情報を維持する停止モードとの間で動作モードを切り替えるモード切替ステップと、
前記停止モードから前記駆動モードへ切り替えたときに、前記記憶されたリマインド情報を読み出して、前記不揮発性表示部に表示させる制御ステップと、
を備えたことを特徴とする閲覧端末装置の情報処理方法。
【請求項２０】
情報表示指令に従って駆動電圧が供給された時に表示情報を書き換え、駆動電圧の供給が停止された時に表示情報を維持する不揮発性表示部が現在表示している表示情報の内容に関連して、前に前記不揮発性表示部が表示した少なくとも１つの表示情報を含むリマインド情報を記憶するリマインド情報記憶ステップと、
前記不揮発性表示部に駆動電圧を供給して表示情報を書き換える駆動モードと、駆動電圧の供給を停止して表示情報を維持する停止モードとの間で動作モードを切り替えるモード切替ステップと、
前記停止モードから前記駆動モードへ切り替えたときに、前記記憶されたリマインド情報を読み出して、前記不揮発性表示部に表示させる制御ステップと、
をコンピュータに実行させる閲覧端末装置の情報処理プログラム。
【発明の詳細な説明】
【技術分野】
【０００１】
本発明は、閲覧端末装置、閲覧端末装置の情報処理方法、及び閲覧端末装置の情報処理プログラムに関する。詳細には、閲覧端末装置本体に備えられている表示部の駆動電圧が供給されているときに表示を書き換え、駆動電圧の供給が停止されたときに表示されている表示情報を維持し続ける不揮発性の表示部を備えた閲覧端末装置、閲覧端末装置の情報処理方法及び閲覧端末装置の情報処理プログラムに関する。
【背景技術】
【０００２】
特許文献１には、表示部の駆動電圧が供給されているときに表示が書き換えられ、電圧の供給が停止されたときに表示されている表示情報が維持され続ける不揮発性表示部が備えられた閲覧端末装置が記載されている。不揮発性表示部は、表示画面に表示されている表示情報が書き換えられるときには駆動電圧を必要とするが、表示情報が維持されるためには、駆動電圧を必要としない。そのため、不揮発性表示部に駆動電圧の供給が停止されている場合でも、電力が消費されずに表示情報が維持される。
【特許文献１】特開２００７−１８７９２７号公報
【発明の開示】
【発明が解決しようとする課題】
【０００３】
しかしながら、特許文献１に記載されている閲覧端末装置は、不揮発性表示部に駆動電圧が供給されない間でも、表示情報が維持される。そのため、駆動電圧が供給されず、表示情報が不揮発性表示部に維持された状態が長時間続いた場合、使用者が、閲覧端末装置に表示されている表示情報に関する記憶が思い出せないといった問題がある。何故閲覧していたか、現在表示されている情報に関連するどのような情報を閲覧していたかが思い出せないといった問題がある。例えば、閲覧端末装置を電子ブックとして用いる場合、閲覧端末装置により情報として閲覧していた本のタイトルや本のページ数、章の名前、第何章目を読んでいたのか、といった前回の閲覧状況が思い出せないといった問題がある。また新聞などを読む場合、前回閲覧していた新聞の新聞社名、第何面を見ていたか、経済欄やスポーツ欄といった閲覧していた情報の種類が思い出せないといった問題がある。
【０００４】
本発明は、上述した問題点を解決するためになされたものである。本発明の目的は、駆動電圧の供給が停止されている場合、表示情報が維持される不揮発性表示部を備えた閲覧端末装置において、不揮発性表示部に表示されている表示情報に関する記憶が、ユーザに喚起されるための情報を表示する閲覧端末装置を提供することである。
【課題を解決するための手段】
【０００５】
この目的を達成するために、請求項１記載の発明は、情報表示指令に従って駆動電圧が供給された時に表示情報を書き換え、駆動電圧の供給が停止された時に表示情報を維持する不揮発性表示部と、前記不揮発性表示部に駆動電圧を供給して前記不揮発性表示部の表示情報を書き換える駆動モードと、前記不揮発性表示部への駆動電圧の供給を停止して表示情報を維持する停止モードとの間で動作モードを切り替えるモード切替部と、前記モード切替部が動作モードを停止モードから駆動モードへ切り替える直前に前記不揮発性表示部が表示していた直前表示情報の内容に関連して直前表示情報より前に前記不揮発性表示部が表示していた表示情報を含むリマインド情報を記憶するリマインド情報記憶部と、前記モード切替部が動作モードを停止モードから駆動モードへ切り替えたときに、前記リマインド情報記憶部からリマインド情報を読み出し、前記不揮発性表示部に表示させる制御部と、を備えることを特徴としている。
【０００６】
請求項２記載の発明は、前記不揮発性表示部により表示される内容がタイトル名と複数の章と複数のページとを備える書籍であり、前記直前表示情報が前記書籍における所定の章に属し、かつ、前記書籍における所定のページであり、前記リマインド情報記憶部が、前記リマインド情報として、書籍のタイトル名と、章の名前と、ページ数とを記憶することを特徴としている。
【０００７】
請求項３に記載の発明は、前記モード切替部が動作モードを駆動モードから停止モードへ切り替えた時から、経過した経過時間を測定するための時間測定部と、前記時間測定部により測定された経過時間が、所定の時間以上経過したかを判定するための判定部とを備え、前記判定部が所定の時間以上経過したと判定し、前記モード切替部が動作モードを停止モードから駆動モードへ切り替えた場合、前記制御部は前記リマインド情報記憶部からリマインド情報を読み出し、前記不揮発性表示部に表示させることを特徴としている。
【０００８】
請求項４に記載の発明は、前記モード切替部が動作モードを駆動モードから停止モードへ切り替えた時から、経過した経過時間を測定するための時間測定部と、前記時間測定部により測定された経過時間に基づいて、前記不揮発性表示部が前記リマインド情報を表示する表示時間を決定する表示時間決定部とを備えることを特徴としている。
【０００９】
請求項５に記載の発明は、前記制御部が、前記モード切替部が動作モードを停止モードから駆動モードへ切り替えた時から所定の時間の間、前記リマインド情報の表示を維持する情報表示指令を前記不揮発性表示部に出力することを特徴としている。
【００１０】
請求項６に記載の発明は、前記不揮発性表示部が表示する表示情報を記憶する表示情報記憶部と、複数のフォルダの階層構造により、前記記憶された表示情報をファイルとして管理するファイル管理部と、前記モード切替部が動作モードを停止モードから駆動モードへ切り替える直前に前記不揮発性表示部により表示されている直前表示情報が前記ファイル管理部によりファイルとして管理されている直前表示フォルダの管理階層位置を記憶する階層位置記憶部とを備え、前記リマインド情報記憶部が、前記リマインド情報として、前記直前表示フォルダの管理階層位置に対応する階層位置情報を記憶することを特徴としている。
【００１１】
請求項７に記載の発明は、前記リマインド情報記憶部は、前記直前表示フォルダの管理階層位置と少なくともその１つ上位の階層位置との各階層位置のフォルダとファイルとをリマインド情報として記憶し、前記制御部が、前記各階層位置ごとにフォルダとファイルとをリマインド情報として前記不揮発性表示部に表示させることを特徴としている。
【００１２】
請求項８に記載の発明は、前記リマインド情報記憶部は、最上位階層位置から前記直前表示フォルダの管理階層位置までの各階層位置のフォルダとファイルとをリマインド情報として記憶し、前記制御部が、前記各階層位置ごとにフォルダとファイルとを前記リマインド情報として前記不揮発性表示部に表示させることを特徴としている。
【００１３】
請求項９に記載の発明は、前記モード切替部が動作モードを駆動モードから停止モードへ切り替えた時から、経過した経過時間を測定するための時間測定部を備え、前記リマインド情報記憶部は、最上位階層位置から前記直前表示フォルダの管理階層位置までの各階層位置のフォルダとファイルとをリマインド情報として記憶し、前記制御部が、前記リマインド情報として前記不揮発性表示部に表示させるリマインド情報の階層位置の数を前記時間測定部により測定された経過時間に基づいて決定することを特徴としている。
【００１４】
請求項１０に記載の発明は、前記ファイル管理部が、前記表示情報記憶部により記憶されている表示情報のフォルダまたはファイルを管理し、前記不揮発性表示部が表示する前記直前表示情報が前記ファイル管理部により管理されているフォルダまたはファイルを各階層位置ごとに特定するための特定情報を発生する特定情報発生部を備え、前記制御部が、前記リマインド情報と共に前記特定情報を、前記不揮発性表示部に表示させることを特徴としている。
【００１５】
請求項１１に記載の発明は、前記制御部が、前記リマインド情報記憶部に記憶される前記リマインド情報を上位の階層位置から順に切り換えて、前記不揮発性表示部に表示させることを特徴としている。
【００１６】
請求項１２に記載の発明は、前記直前表示情報より前に前記不揮発性表示部が表示した一連の過去表示情報の表示履歴を記憶する表示履歴記憶部と、前記表示履歴記憶部により記憶されている表示履歴に基づいて、前記過去表示情報を発生する表示情報発生部とを備え、前記リマインド情報記憶部が、前記表示情報発生部により発生される前記過去表示情報をリマインド情報として記憶することを特徴としている。
【００１７】
請求項１３に記載の発明は、前記直前表示情報より前に前記不揮発性表示部が表示した一連の過去表示情報の表示履歴を記憶する表示履歴記憶部と、前記表示履歴記憶部により記憶されている表示履歴に基づいて、前記過去表示情報を発生する表示情報発生部とを備え、前記表示履歴は、前記不揮発性表示部により表示された順に異なる表示履歴として前記表示履歴記憶部により複数記憶され、前記表示時間決定部が、前記時間測定部により測定された経過時間に基づいて、前記制御部により前記リマインド情報として前記不揮発性表示部に表示させる前記過去表示情報の表示履歴の数を決定することを特徴としている。
【００１８】
請求項１４に記載の発明は、前記表示履歴記憶部が記憶する一連の過去表示情報が、前記動作モードが停止モードから切り替えられて駆動モードが今回設定される以前の少なくとも前回設定された駆動モードの間に、前記不揮発性表示部が表示した過去表示情報であることを特徴としている。
【００１９】
請求項１５に記載の発明は、前記表示履歴は、前記不揮発性表示部により表示された順に異なる表示履歴として前記表示履歴記憶部により複数記憶され、前記制御部が、前記表示履歴記憶部により記憶された時期が遅い表示履歴の前記過去表示情報から先に、前記リマインド情報として表示を切り換えて、前記不揮発性表示部に表示させることを特徴としている。
【００２０】
請求項１６に記載の発明は、複数ページからなる表示情報の中で前記不揮発性表示部が現在表示している表示情報のページ番号を記憶するページ番号記憶部を備え、前記リマインド情報記憶部が、前記ページ番号記憶部により記憶されているページ番号より前のページ番号の表示情報から、前記ページ番号記憶部により記憶されているページ番号の表示情報までの一連の表示情報を、リマインド情報として記憶することを特徴としている。
【００２１】
請求項１７に記載の発明は、複数ページからなる表示情報の中で前記不揮発性表示部が現在表示している表示情報のページ番号を記憶するページ番号記憶部を備え、前記リマインド情報記憶部が、前記ページ番号記憶部により記憶されているページ番号より前のページ番号の表示情報から、前記ページ番号記憶部により記憶されているページ番号の表示情報までの一連の表示情報を、リマインド情報として記憶し、前記表示時間決定部が、前記時間測定部により測定された経過時間に基づいて、前記制御部が前記リマインド情報として前記不揮発性表示部に表示させる表示情報のページ数を決定することを特徴としている。
【００２２】
請求項１８に記載の発明は、前記制御部が、前記リマインド情報として前記ページ番号記憶部により記憶されているページ番号より前のページ番号から前記ページ番号記憶部に記憶されているページ番号まで、ページ番号の小さい表示情報から順に、表示を切り換えて、前記不揮発性表示部に表示させることを特徴としている。
【００２３】
請求項１９に記載の発明は、情報表示指令に従って駆動電圧が供給された時に表示情報を書き換え、駆動電圧の供給が停止された時に表示情報を維持する不揮発性表示部が現在表示している表示情報の内容に関連して、前に前記不揮発性表示部が表示した少なくとも１つの表示情報を含むリマインド情報を記憶するリマインド情報記憶ステップと、前記不揮発性表示部に駆動電圧を供給して表示情報を書き換える駆動モードと、駆動電圧の供給を停止して表示情報を維持する停止モードとの間で動作モードを切り替えるモード切替ステップと、前記停止モードから前記駆動モードへ切り替えたときに、前記記憶されたリマインド情報を読み出して、前記不揮発性表示部に表示させる制御ステップと、
を備えたことを特徴徴とする閲覧端末装置の情報処理方法について記載されている。
【００２４】
請求項２０に記載の発明は、情報表示指令に従って駆動電圧が供給された時に表示情報を書き換え、駆動電圧の供給が停止された時に表示情報を維持する不揮発性表示部が現在表示している表示情報の内容に関連して、前に前記不揮発性表示部が表示した少なくとも１つの表示情報を含むリマインド情報を記憶するリマインド情報記憶ステップと、前記不揮発性表示部に駆動電圧を供給して表示情報を書き換える駆動モードと、駆動電圧の供給を停止して表示情報を維持する停止モードとの間で動作モードを切り替えるモード切替ステップと、前記停止モードから前記駆動モードへ切り替えたときに、前記記憶されたリマインド情報を読み出して、前記不揮発性表示部に表示させる制御ステップと、
をコンピュータに実行させる情報処理プログラムについて記載されている。
【発明の効果】
【００２５】
請求項１記載の発明によれば、停止モードから駆動モードに切り替わるときに、直前表示情報の内容に関するリマインド情報が不揮発性表示部へ出力される。リマインド情報が表示されることで、ユーザが、不揮発性表示部に現在表示されている表示情報に関連してこれまで閲覧していた閲覧状況、閲覧していた情報の種類といった表示情報に関する記憶を思い出すことを支援することが可能となる。
【００２６】
請求項２記載の発明によれば、不揮発性表示部により表示される内容が、タイトル名と複数の章と複数のページとを備える書籍である。リマインド情報として、書籍のタイトル名と、章の名前と、ページ数とが用いられることで、ユーザは、書籍のタイトル名などの表示から前回閲覧していた状況を容易に思い出すことができる。
【００２７】
請求項３記載の発明によれば、時間測定部により駆動モードから停止モードへ切り替えられてから経過した時間が測定される。駆動モードから停止モードへ切り替えられてから短時間しか経過していない場合、リマインド情報が出力されなくても、ユーザは、表示情報について記憶を思い出すことが比較的容易にできる。一方、時間測定部により測定された時間が所定時間以上経過した場合には、不揮発性表示部にリマインド情報が出力される。このリマインド情報の出力により、ユーザは表示情報についての記憶を容易に思い出すことができる。この結果、ユーザにとって記憶喚起が必要と思われるとき以外はリマインド情報が出力されないことから、前記不揮発性表示部にリマインド情報が無駄に出力されることなく、ユーザは、効率的に閲覧作業を行うことができる。
【００２８】
請求項４記載の発明によれば、駆動モードから停止モードへ切り替えられてから経過した時間に基づいてリマインド情報が表示される表示時間が決定される。駆動モードから停止モードへ切り替えられてからの経過時間が長い程、ユーザは不揮発性表示部に表示が維持されていた表示情報を思い出し難くなる。そのため、経過時間に応じた時間の間、リマインド情報が前記不揮発性表示部により表示されることで、表示情報の記憶が思い出されることを、停止モードに切り替えられてからの経過時間に基づいて効果的に支援することが可能となる。
【００２９】
請求項５記載の発明によれば、駆動モードへ切り替えた時から所定の時間の間、リマインド情報の表示が維持される。所定の時間の間、前記不揮発性表示部によりリマインド情報が表示され続けるため、ユーザが、リマインド情報の表示を基に記憶を思い出すための時間として所定の時間だけ確実に確保され、記憶の思い出しがより確実となる。
【００３０】
請求項６記載の発明によれば、リマインド情報として直前表示フォルダの管理階層位置に対応する階層位置情報がリマインド情報記憶部により記憶される。リマインド情報として直前表示情報が管理されているフォルダ名やファイル名が不揮発性表示部により表示されることで、閲覧していた閲覧状況と閲覧していた情報の種類とがユーザにより思い出される。例えば、上記フォルダ名やファイル名が、閲覧していた情報のタイトル名や目次に基づいて名前が付けられている場合、上記のフォルダとファイルの関係及び上記フォルダ名とファイル名とから、閲覧していた情報に関連するタイトル名または目次の把握が可能となる。閲覧していた情報に関連するタイトル名または目次により、不揮発性表示部により表示されている表示情報についての記憶がユーザにより思い出されることの支援が可能となる。
【００３１】
請求項７記載の発明によれば、リマインド情報として直前表示フォルダの管理階層位置とその１つ上位の階層位置との各階層のフォルダとファイルとが、各階層ごとに不揮発性表示部に表示される。直前表示情報が管理されている階層と、その上位の階層とのフォルダおよびファイルが前記不揮発性表示部に表示される。例えば、フォルダ名やファイル名が、閲覧していた情報のタイトル名や目次に基づいて付けられた名前である場合、上記フォルダ名やファイル名から、閲覧していた情報に関連するタイトル名または目次の把握が可能となる。閲覧していた情報に関連するタイトル名または目次により、不揮発性表示部により表示されている表示情報についての記憶がユーザにより思い出されることの支援が可能となる。
【００３２】
請求項８記載の発明によれば、リマインド情報として最上位階層から直前表示フォルダの管理階層位置まで、各階層のフォルダとファイルとが、各階層ごとに不揮発性表示部に表示される。例えば、フォルダ名やファイル名が、閲覧していた情報のタイトル名や目次に基づいて付けられた名前である場合、最上位階層から直前表示フォルダの管理階層位置までのファイル名とフォルダ名とから、閲覧していた情報に関連するタイトル名または目次の把握が可能となる。閲覧していた情報に関連するタイトル名または目次により、不揮発性表示部により表示されている表示情報についての記憶がユーザにより思い出されることの支援が可能となる。
【００３３】
請求項９に記載の発明によれば、駆動モードから停止モードへ切り替えてから経過した時間に基づいて、リマインド情報として表示される階層位置が決定される。不揮発性表示部に表示されている表示情報の記憶が思い出されることを、停止モードに切り替えられてからの経過時間に応じて効果的に支援することが可能となる。
【００３４】
請求項１０記載の発明によれば、直前表示情報がファイルとして管理されているフォルダまたはファイル自体が特定されるための特定情報が特定情報発生部により発生される。リマインド情報と共に、特定情報が不揮発性表示部に表示される。直前表示情報が記憶されているファイルが管理されているフォルダ又はファイルを丸及び四角により囲むことで、直前表示情報のファイルの特定が容易になる。そのため、リマインド情報としての複数のフォルダまたはファイルと、そのフォルダなどを階層位置ごとに特定する特定情報との表示から、ユーザは、不揮発性表示部に表示されている表示情報のファイルの特定が容易になる。
【００３５】
請求項１１記載の発明によれば、リマインド情報を不揮発性表示部に表示するだけでなく、階層位置が上位の階層から順に表示することが可能となる。上位の階層から順に表示されることで、表示されているリマインド情報の理解が助けられる。表示情報についての記憶がユーザにより思い出されることを効果的に支援することが可能となる。
【００３６】
請求項１２記載の発明によれば、リマインド情報として不揮発性表示部により過去に表示された表示履歴が出力される。この表示履歴から、ユーザは、不揮発性表示部により表示されている表示情報について、これまで閲覧していた閲覧履歴と閲覧端末装置の使用履歴及び操作履歴とを思い出すことが容易となる。
【００３７】
請求項１３に記載の発明によれば、駆動モードから停止モードへ切り替えてから経過した時間に基づいて、リマインド情報として表示される過去表示情報の表示履歴の数が決定される。経過時間に応じて表示履歴の数を決定することで、ユーザは、経過時間が長ければより多い数の表示履歴を見ることで、不揮発性表示部により表示されている表示情報の記憶を容易に思い出すことができる。
【００３８】
請求項１４に記載の発明によれば、前記表示履歴記憶部が記憶する一連の過去表示情報が、前記動作モードが停止モードから切り替えられて駆動モードが今回設定される以前の少なくとも前回設定された駆動モードの間に、前記不揮発性表示部が表示した過去表示情報をリマインド情報として表示させる。少なくとも、前記動作モードが停止モードから切り替えられて駆動モードが今回設定される以前の少なくとも前回設定された駆動モードの間に、閲覧していた情報をリマインド情報として表示することで、無駄にリマインド情報を記憶する必要がなく、また、ユーザは表示履歴から効果的に前回の閲覧状況の記憶を喚起することができる。
【００３９】
請求項１５記載の発明によれば、リマインド情報として表示される表示履歴が不揮発性表示部に表示されるだけではなく、表示された順番が遅い表示履歴から順に不揮発性表示部により表示される。表示履歴の遅い表示情報から順に表示されることで、ユーザは、より新しい表示履歴からリマインド情報を容易に理解することが助けられる。
【００４０】
請求項１６記載の発明によれば、リマインド情報として不揮発性表示部に表示されている表示情報の前のページ番号から表示されているページ番号までの表示情報が出力される。不揮発性表示部に表示されている表示情報に関連するページ番号の表示情報が出力されることで、ページごとの表示内容の関連性と文脈の流れとが思い出される。ページごとの表示内容の関連性と文脈の流れから、ユーザは、不揮発性表示部により表示されている表示情報についての記憶を容易に思い出すことが可能となる。
【００４１】
請求項１７に記載の発明によれば、駆動モードから停止モードへ切り替えてから経過した時間に基づいて、リマインド情報として表示される表示情報のページ数が決定される。停止モードに切り替えられてからの経過時間に応じてページ数を決定することから、ユーザが、経過時間が長い場合にはより多くのページを見ることで、不揮発性表示部により表示されている表示情報の記憶を容易に思い出すことが可能になる。
【００４２】
請求項１８に記載の発明によれば、ページ番号の小さい表示情報から順に不揮発性表示部に出力される。不揮発性表示部に表示されている表示情報に関連するページ番号の小さい表示情報から順に表示されることで、リマインド情報の理解が助けられる。表示情報についての記憶がユーザにより思い出されることを効果的に支援することが可能となる。
【００４３】
請求項１９または請求項２０記載の発明のよれば、リマインド情報出力ステップにより停止モードから駆動モードに切り替わるときに、不揮発性表示部へ表示情報の記憶がユーザに喚起されるためのリマインド情報が出力される。リマインド情報が表示されることで、不揮発性表示部により表示されている表示情報について、これまで閲覧していた閲覧状況、閲覧していた情報の種類といった表示情報に関する記憶がユーザにより思い出されることの支援が可能となる。
【図面の簡単な説明】
【００４４】
【図１】第１の実施形態における閲覧端末装置１の外観図である。
【図２】第１の実施形態における電気泳動表示部４の正面図である。
【図３】図２に示す電気泳動表示部４のＡ−Ａ’線に従う矢視方向断面図である。
【図４】図２に示す電気泳動表示部４のＢ−Ｂ’線に従う矢視方向断面図である。
【図５】第１の実施形態における閲覧端末装置１の電気的構成を示すブロック図である。
【図６】第１の実施形態におけるメモリーカード６の表示情報が複数のフォルダの階層構造によりファイルとして管理されている一例である。
【図７】第１の実施形態におけるメモリーカード６により端末操作履歴６２０が記憶される状態の一例を示す概念図である。
【図８】第１の実施形態におけるＥＥＰＲＯＭ１１により表示ファイル情報１１０２と表示中ページ情報１１０３とが記憶される状態の一例を示す概念図である。
【図９】第１の実施形態におけるメイン動作を示すフローチャートである。
【図１０】第１の実施形態におけるキー操作イベント動作を示すフローチャートである。
【図１１】第１の実施形態におけるリマインド情報表示処理を示すフローチャートである。
【図１２】第１の実施形態におけるリマインド情報として最上位階層から管理階層位置までのフォルダとファイルとが表示される一例を示す概念図である。
【図１３】第２の実施形態におけるリマインド情報表示処理を示すフローチャートである。
【図１４】第２の実施形態におけるタイマー２２によりカウントされた第２時間に対応する表示維持時間と、リマインド情報として表示される操作履歴数とが、表示維持時間情報６３０としてメモリーカード６に記憶されている記憶状態を示す概念図である。
【図１５】第２の実施形態におけるリマインド情報として表示履歴が表示される状態を示す概念図である。
【図１６】第３の実施形態におけるリマインド情報表示処理を示すフローチャートである。
【図１７】第３の実施形態におけるタイマー２２によりカウントされた第２時間に対応する表示維持時間と、リマインド情報として表示されるページ枚数とが、表示維持時間情報６３０としてメモリーカード６に記憶されている記憶状態を示す概念図である。
【図１８】第３の実施形態におけるリマインド情報として、表示中ページ情報１１０３として記憶されているページ番号より前のページ番号の表示情報から、表示中ページ情報１１０３として記憶されているページ番号までの表示情報がリマインド情報として表示される状態を示す概念図である。
【図１９】第１の実施形態におけるリマインド情報処理の変形例１のリマインド情報表示処理手順を示すフローチャートである。
【図２０】第１の実施形態におけるリマインド情報表示処理の変形例２のリマインド情報表示処理手順を示すフローチャートである。
【図２１】第１の実施形態の変形例２におけるタイマー２２によりカウントされた第２時間に対応する表示維持時間と、リマインド情報として表示される階層位置情報の階層数とが、表示維持時間６３０としてメモリーカード６に記憶されている記憶状態を示す概念図である。
【図２２】第２の実施形態におけるリマインド情報表示処理の変形例４のリマインド情報表示処理手順を示すフローチャートである。
【図２３】第１の実施形態における変形例７の上位の階層から順に表示せず、一度に全ての階層のフォルダ及びファイルがリマインド情報として表示される一例を示す概念図である。
【図２４】第２の実施形態における変形例８の上位の操作履歴から順に表示せず、一度に全ての操作履歴をリマインド情報として表示する一例を示す概念図である。
【図２５】第３の実施形態における変形例９のページ番号が小さい順から表示せず、一度に全てのページをリマインド情報として表示する一例を示す概念図である。
【図２６】第１の実施形態における変形例１３のリマインド情報表示処理において、リマインド情報として表示されるフォルダ及びファイルが電気泳動表示部４により全て表示されて一例を示す概念図である。
【図２７】第１の実施形態における変形例１３のリマインド情報表示処理において、リマインド情報として表示されるフォルダ及びファイルが電気泳動表示部４により全てではなく、一部が表示される一例を示す概念図である。
【図２８】第１の実施形態の変形例１におけるリマインド情報として管理階層位置とその１つ上位の階層のフォルダとファイルとが表示される一例を示す概念図である。
【発明を実施するための最良の形態】
【００４５】
［第１の実施形態］
以下、閲覧端末装置に本発明を適用した第１の実施形態について図面を参照して説明する。
【００４６】
＜第１の実施形態の外観的構成＞
図１は、本発明を適用した第１の実施形態の閲覧端末装置の外観的構成を示す。第１の実施形態の閲覧端末装置１は、略直方体の形状のフレームを有する。第１の実施形態の閲覧端末装置１の前面には、表示情報を表示するための電気泳動表示部４が備えられている。閲覧端末装置１の前面下方には、４つの操作キー８１〜操作キー８４が備えられている。第１の実施形態の閲覧端末装置１の側面に、メモリーカードが挿入される挿入口８０が備えられている。
【００４７】
図２は、電気泳動表示部４の正面図を示す。図３は、図２における電気泳動表示部４のＡ−Ａ´線に従う矢視方向断面図である。図４は、図２における電気泳動表示部４のＢ−Ｂ´線に従う矢視方向断面図である。以下、電気泳動表示部４について図２から図４を参照して説明する。なお、説明の便宜上、図２から図４では、電気泳動表示部４の画素数が５×４の２０個である例を用いて説明する。実際には、必要に応じた画素数が設けられる。
【００４８】
図２に示されるように電気泳動表示部４の表示面には、表示情報を表示するための画素２１が備えられている。画素２１に対して電界を印加するために、画素２１と同じ位置には電極が配置されている。画素２１が配置されている周辺部は、上部電極保護膜６１により覆われている。上部電極保護膜６１は、ポリイミド，ポリエチレンテレフタレート，ガラスなどの高い透明性を発揮可能な材料により形成される。画素２１が備えられていない電気泳動表示部４の周縁部は、利用者が視認できないように隠蔽するためのマスク部４０により囲まれている。
【００４９】
図３及び図４に示す矢印の方向が、それぞれ図３及び図４の上方向、下方向として、以下の説明を行う。図３及び図４に示すように、電気泳動表示部４には、マスク部４０と下部基板５０と上部基板６０と表示部７０とスペーサー７１とが備えられている。下部基板５０は、電気泳動表示部４の下面部分に備えられている。上部基板６０は、表示部７０を挟んで下部基板５０に対して上方向に対向配置される位置に配置されている。表示部７０は、下部基板５０と上部基板６０との間に配置されている。
【００５０】
スペーサー７１は、下部基板５０と上部基板６０との間に配置される。スペーサー７１は、下部基板５０上の上部基板６０側に配置される。スペーサー７１は、下部基板５０上を格子状に均等に分割して多数の画素空間３５を形成するように配置される。スペーサー７１は、下部基板５０と上部基板６０とにより支持されている。スペーサー７１は、可撓性の板状部材から構成される。スペーサー７１の材料として、ポリイミドまたはポリエチレンテレフタレートなどの合成樹脂が用いられる。第１の実施形態では、ポリエチレンテレフタレートが用いられる。
【００５１】
表示部７０は、各画素空間３５に帯電粒子３３ａと帯電粒子３３ｂと分散媒３４とが充填されて構成される。具体的には、下部基板５０上でスペーサー７１により格子状に分割された多数の画素空間３５の各々の中に、多数の帯電粒子３３ａと多数の帯電粒子３３ｂと分散媒３４とが充填される。帯電粒子３３ａと帯電粒子３３ｂと分散媒３４とが充填された各画素空間３５により、各画素２１が形成される。帯電粒子３３ａと帯電粒子３３ｂとしては、分散媒３４中において帯電可能な材料が用いられる。帯電粒子３３ａと帯電粒子３３ｂとの材料として、有機化合物や無機化合物からなる顔料及び染料、もしくは顔料及び染料を合成樹脂で包んだものが用いられる。第１の実施形態では、帯電粒子３３ａとして、スチレン樹脂と二酸化チタンの混合物が材料として用いられる。帯電粒子３３ａとして、平均粒子径が５μｍのもの（７ｗｔ％）であって、粒子中の二酸化チタンの量が４０ｗｔ％のものが使用される。帯電粒子３３ｂとして、スチレン樹脂とカーボンブラックの混合物が用いられる。帯電粒子３３ｂとして、平均粒子径が５μｍのもの（１０ｗｔ％）であって、粒子中のカーボンブラックの量が３０ｗｔ％のものが使用される。そのため、帯電粒子３３ａは白色の色調であり、帯電粒子３３ｂは黒色の色調である。また、帯電粒子３３ａと帯電粒子３３ｂとは、それぞれが正あるいは負に相異となるように帯電している。第１の実施形態では、帯電粒子３３ａが負に、帯電粒子３３ｂが正に帯電している。
【００５２】
分散媒３４として、高絶縁性で、且つ、粘性の低いアルコール類または、炭化水素、またはシリコーンオイルが用いられる。第１の実施形態では、パラフィン系溶剤であるエクソンモービル社製Ｉｓｏｐａｒ（７３ｗｔ％）が用いられる。なお、分散媒３４には、添加剤としてエタノール（１０ｗｔ％）が加えられている。
【００５３】
下部基板５０は、下部電極保護膜５１と下部電極５２と筐体支持部５３とを備える。
【００５４】
下部電極保護膜５１は、下部電極５２の上面側に絶縁材料を塗布して形成された絶縁膜である。下部電極保護膜５１は、ポリエチレンテレフタレートやシリカ等の樹脂フィルムやガラスなどの無機材料等、高い絶縁性効果のある材料により形成される。第１の実施形態では、ポリエチレンテレフタレートが用いられる。
【００５５】
下部電極５２は、画素２１に対して電圧を印加するために備えられている。画素２１それぞれに対して一定の電圧が印加されるために、下部電極５２は複数の電極が備えられた共通の電気導電体として配置されている。
【００５６】
筐体支持部材５３は、下部電極５２の下面側に備えられる。筐体支持部５３は、閲覧端末装置１そのものを支持する。
【００５７】
上部基板６０は、上部電極保護膜６１と、上部電極６２と、表示層６３とを備える。また、上部基板６０の上面（下部基板５０と対向しない面）には、マスク部４０が備えられている。
【００５８】
上部電極保護膜６１は、上部電極６２の下面側に絶縁材料を塗布することにより形成された絶縁膜である。上部電極保護膜６１は、ポリイミド、ポリエチレンテレフタレート、ガラスなどの透明性の高い材料により形成される。第１の実施形態では、上部電極保護膜の材料としては、ポリエチレンテレフタレートにより形成されたプラスチック基板（樹脂フィルム）が用いられる。
【００５９】
上部電極６２は、下部電極５２との間に電界を生成させるための電極である。上部電極６２は、画素２１の各々に対して一定の電圧が印加されるために、下部電極５２と平行に配置されている。上部電極６２は、透明性の高い材料により形成される。第１の実施形態では、上部電極６２として、酸化インジウムすず（ＩＴＯ）により形成された透明電極が用いられる。
【００６０】
表示層６３は透明な部材により形成される。表示層６３は上部電極６２の上面側に備えられている。表示層６３は表示画面として機能する。表示層６３はガラス基板が用いられる。上部基板６０が、上述した透明性の高い材料により形成されることで、利用者が上部基板６０の上方向から表示部７０を視認することができる。
【００６１】
マスク部４０は、画素２１が存在しない表示部７０の周縁部を利用者が視認できないよう隠蔽するために備えられている。マスク部４０は、上部基板６０の四辺に沿って、一定幅で備えられている。マスク部４０としては、利用者が表示部７０を視認できるように、図２に示す四角の形状の板状部材が用いられる。マスク部４０として、ポリエチレンテレフタレートなどの合成樹脂を着色した部材が用いられる。また、インクなどにより、表示層６３の表面に直接マスク部４０と同等の効果のあるインク層が形成されても良い。第１の実施形態では、ポリエチレンテレフタレートが用いられる。
【００６２】
＜第１の実施形態の電気的構成＞
図５は、第１の実施形態の閲覧端末装置１の電気的構成を示すブロック図である。図５に示すように、第１の実施形態の閲覧端末装置１には、閲覧端末装置１を制御するＣＰＵ２が備えられている。ＣＰＵ２は、時間を計測するためのタイマー２２を備える。ＣＰＵ２には、表示制御部３と、メモリーカードインターフェース（Ｉ／Ｆ）５と、キーインターフェース（Ｉ／Ｆ）７と、ＲＯＭ９と、ＲＡＭ１０と、ＥＥＰＲＯＭ１１と、電源制御部１２とがそれぞれ電気的に接続されている。ＣＰＵ２は、メモリーカード６、ＲＯＭ９、ＲＡＭ１０、ＥＥＰＲＯＭ１１から構成されるメモリーと共に、第１の実施形態の閲覧端末装置１の動作を制御処理するコンピュータを構成している。ＣＰＵ２とメモリーカード６とＲＯＭ９とＲＡＭ１０とＥＥＰＲＯＭ１１とからなるコンピュータは、本発明のモード切替部と、制御部と、判定部と、時間測定部と、表示時間決定部と、表示情報発生部と、特定情報発生部との一例である。キーインターフェース７は、操作キー８１〜操作キー８４からの入力を受け付ける。電気泳動表示部４により表示情報を表示するため、表示制御部３は電気泳動表示部４により表示される画素情報に基づいて、下電極５２と上電極６２とに電圧を印加する。メモリーカード６とＲＡＭ１０とＥＥＰＲＯＭ１１とから構成される閲覧端末装置１のメモリーは、本発明のリマインド情報記憶部の一例である。
【００６３】
ＲＯＭ９は、ファイル管理プログラム９０１と、メイン動作プログラム９０２と、キー操作イベントプログラム９０３と、リマインド情報表示プログラム９０４とを記憶している。ファイル管理プログラム９０１は、複数のフォルダの階層構造により、メモリーカード６に記憶された閲覧端末装置１により表示される表示情報をファイルとして管理するプログラムである。ＲＯＭ９に記憶されるファイル管理プログラム９０１は、本発明のファイル管理部の一例である。メイン動作プログラム９０２は、第１の実施形態の閲覧端末装置１を制御するためのプログラムである。キー操作イベントプログラム９０３は、閲覧端末装置１の表示の切り換えを操作キー８１〜操作キー８４の操作により行うプログラムである。また、キー操作イベントプログラム９０３は、表示の切り替えが行われたときの操作キーの操作経緯に関する端末操作履歴６２０を記憶するプログラムでもある。リマインド情報表示プログラム９０４は、閲覧端末装置１の電気泳動表示部４に表示されている表示情報に関連した記憶をユーザに思い出させるための情報を表示するためのプログラムである。リマインド情報を表示することで、ユーザはこれまで閲覧していた閲覧状況、閲覧していた情報の種類といった表示情報に関する記憶を思い出すことが可能になる。
【００６４】
メモリーカードインターフェース５は、携帯型の外部メモリーであるメモリーカード６と接続するためのインターフェースである。メモリーカード６は、電気泳動表示部４に情報を表示させるための表示情報６１０と、閲覧端末装置により操作された端末操作履歴６２０と、表示維持時間情報６３０とを記憶する。表示維持時間情報６３０は、リマインド情報を電気泳動表示部４により表示させる時間である。メモリーカード６は、本発明の表示情報記憶部と表示履歴記憶部との一例である。
【００６５】
図６は、表示情報６１０が複数のフォルダの階層構造により、ファイルとして管理され、メモリーカード６に記憶されている一例の概念図を示す。図６のフォルダとファイルとは、ファイル管理プログラム９０１により、階層構造として管理されている。図６は、閲覧端末装置１により実験報告書が閲覧される場合の一例を示す。図６では、フォルダ９１−ａからフォルダ９１−ｍとファイル９２−ａからファイル９２−ｈとにぞれぞれ名前が付与され、表示情報がフォルダの階層構造によりファイルとして管理される。「メインメニュー」と名前が付けられたフォルダ９１−ａは、下位に「ドキュメント」と名づけられたフォルダ９１−ｂなどを含んでいる。「ドキュメント」と名前が付けられたフォルダ９１−ｂは、書籍のタイトル名により、「タイトル実験報告」と名前が付けられたフォルダ９１−ｇなどを下位に含んでいる。「タイトル実験報告」と名前が付けられたフォルダ９１−ｇは、章の名前により、「１章はじめに」と名前が付けられたフォルダ９１−ｈを下位に含んでいる。「１章はじめに」と名前が付けられたフォルダ９１−ｈは、章の名前により、「１．１概要」と名前が付けられたファイル９２−ａを下位に含んでいる。上記のように、第１の実施形態では、フォルダ名またはファイル名として、閲覧端末装置１で閲覧する書籍のタイトル名と章の名前とが付与されている。ファイルとして管理されている表示情報６１０は、ページ単位で構成されている。また、電気泳動表示部４により表示される表示情報は、メモリーカード６内に記憶されているものだけではなく、ＥＥＰＲＯＭ１１に記憶されているものであっても良い。
【００６６】
端末操作履歴６２０として、イベント情報６２１とキー操作情報６２２と表示履歴情報６２３と時間情報６２４とがメモリーカード６に記憶される。操作キー８１〜操作キー８４の操作によりイベントが発生するたびに、新たな操作履歴が端末操作履歴６２０に記憶される。イベント情報６２１としては、操作キー８１〜操作キー８４の操作により発生する表示切替と閲覧端末装置１への電力供給の停止とが記憶される。キー操作情報６２２としては、操作された操作キー８１〜操作キー８４の操作情報が記憶される。表示履歴情報６２３としては、操作キー８１〜操作キー８４の操作により表示の切り換えが行われたときに、電気泳動表示部４により表示されていた表示情報が記憶される。表示情報は、電気泳動表示部の各画素ごとに表示（黒）と非表示（白）とを指定するための複数の画素情報により構成される。表示履歴情報６２３としては、電気泳動表示部４により表示されている画素情報が記憶される。画素情報は、電気泳動表示部の各画素ごとに表示（黒）と非表示（白）とを指定するための情報である。時間情報６２４としては、操作キー８の操作により表示の切り替えが行われた時間または閲覧端末装置１への電力の供給が停止された時間が記憶される。後述するが、この時間情報６２４には後述のステップＳ１０２でスタートされたタイマー２２が示す時間が記憶される。図７は、端末操作履歴６２０がメモリーカード６により記憶されている一例の概念図を示す。図７は端末操作履歴６２０として、１０個の端末操作履歴が記憶可能な例を示す。図７に示す操作履歴番号「１」から「１０」が割り当てられた操作履歴が、１つの端末操作履歴である。図７に示す操作履歴番号が小さい履歴は、端末操作履歴６２０に記憶された順が早いことを示す。新しい操作履歴が記憶されるごとに、端末操作履歴６２０に記憶された順が早い操作履歴、つまり、操作履歴番号「１」の操作履歴が削除される。操作履歴番号「２」〜「１０」の操作履歴の操作履歴番号が、それぞれ「１」〜「９」に繰り上げられる。そして、新しい操作履歴が、操作履歴番号「１０」として端末操作履歴６２０に記憶される。
【００６７】
ＲＡＭ１０は、公知のＲＡＭから構成される。ＲＡＭ１０は、前回表示データ１００１と現在表示データ１００２とページ展開データ１００３とを一時記憶する。
【００６８】
ページ展開データ１００３は、表示情報６１０としてメモリーカード６に記憶されるテキスト及び画像及び図形等の表示情報と、それら座標情報とを含む。座標情報は、テキスト及び画像及び図形等の電気泳動表示部４における配置位置を示す情報である。
【００６９】
現在表示データ１００２は、ページ展開データ１００３に含まれる座標情報に基づいて、電気泳動表示部４を制御するための画素情報を含む。
【００７０】
前回表示データ１００１は、操作キー８１〜操作キー８４の操作により電気泳動表示部４の表示が新たに切り替えられる際、現在表示データ１００２により含まれている情報と同じ情報である。
【００７１】
ＥＥＰＲＯＭ１１は、システム電源３０から遮断された場合でも、記憶内容を保持する。ＥＥＰＲＯＭ１１は、表示ファイル情報１１０２と、表示中ページ情報１１０３とを記憶する。ＥＥＰＲＯＭ１１は、本発明におけるページ情報記憶部の一例である。また、ＲＯＭ９に記憶されるファイル管理プログラム９０１とメモリーカード６とＥＥＰＲＯＭ１１とは、本発明の階層位置記憶部の一例である。
【００７２】
表示ファイル情報１１０２として、電気泳動表示部４により表示される表示情報を示すファイル名及びフォルダ名が一時記憶されている。表示ファイル情報１１０２として、メモリーカード６に記憶されている表示情報のファイル名及びフォルダ名が一時記憶されている。フォルダ名は、電気泳動表示部４により現在表示されている表示情報が記憶されているフォルダ名である。ファイル名は、電気泳動表示部４により現在表示されている表示情報が記憶されているファイル名である。第１の実施形態では、電気泳動表示部４により表示されている表示情報を示すファイル名とフォルダ名とが、表示ファイル情報１１０２として記憶されている。表示ファイル情報１１０２に基づいて、ファイル管理プログラム９０１により、管理階層位置が特定される。管理階層位置とは、電気泳動表示部４に現在表示されている表示情報を記憶するファイルの階層位置のことである。
【００７３】
表示中ページ情報１１０３として、電気泳動表示部４により表示されている表示情報のページ番号が記憶される。表示中ページ情報１１０３は、電気泳動表示部４により現在表示されている表示情報のページ番号を表す。図８は表示ファイル情報１１０２と表示中ページ情報１１０３とがＥＥＰＲＯＭ１１に記憶される記憶状態を示す概念図である。表示ファイル情報１１０２と表示中ページ情報１１０３とは、表示が切り替えられるごとに上書きされていく。
【００７４】
電源制御部１２は、ＣＰＵ２とシステム電源スイッチ２０とに電気的に接続されている。システム電源スイッチ２０の一端は、表示制御部３と電気泳動表示部４とメモリーカードインターフェース５とＲＯＭ９とＲＡＭ１０とＥＥＰＲＯＭ１１との各々に電力を供給する電源ブロック９９に電気的に接続されている。システム電源スイッチ２０により、システム電源３０と電源ブロック９９とが接続されることで、システム電源３０から表示制御部３と電気泳動表示部４とメモリーカードインターフェース５とＲＯＭ９とＲＡＭ１０とＥＥＰＲＯＭ１１とに電力が供給される。ＣＰＵ２と電源制御部１２とは、システム電源３０とは別の電源から電力の供給を受けている。システム電源スイッチ２０によりシステム電源３０と電源ブロック９９とが接続されていない場合でも、ＣＰＵ２と電源制御部１２とへ、電力が供給される構成となっている。システム電源３０と電源ブロック９９とが接続されていない場合でも、ＣＰＵ２は操作キー８１〜操作キー８４の操作信号を受け付けることができる。電源制御部１２は、操作キー８１〜操作キー８４の操作信号を所定の時間受け付けなかったことに基づき、システム電源スイッチ２０により、システム電源３０と電源ブロック９９とを遮断する。また、電源制御部１２は、操作キー８１〜操作キー８４の操作信号を受け付けたことに基づき、システム電源スイッチ２０により、システム電源３０と電源ブロック９９とを接続する。
【００７５】
表示制御部３は、上電極６２と下電極５２とに対して、一時記憶されている現在表示データ１００２中の画素情報に基づいて電圧を印加する指令を送る。表示制御部３により、ある所定の大きさの電圧を下電極５２に印加する指令が送られる。「表示（黒）」と指定された画素の上電極６２には、下電極５２よりも小さな電圧を印加する指令が表示制御部３により送られる。また、非表示（白）と指定された画素の上電極６２には、下電極５２よりも大きな電圧を印加する指令が送られる。上電極６２が下電極５２より大きい電圧が印加されることで、負に帯電した白色の帯電粒子３３ａが、図３に示す表示層６３に向かって上方向に引き付けられる。一方、上電極６２が下電極５２より小さい電圧が印加されることで、正に帯電した黒色の帯電粒子３３ｂが、図３に示す表示層６３に向かって上方向に引き付けられる。正に帯電している黒色に着色された帯電粒子３３ｂが表示面に引き付けられることで、画像を表示することができる。表示制御部３により、画像を表示する指令が送られた後、電気泳動表示部４の上電極６２及び下電極５２への電圧の供給が停止された場合でも、分散媒３４の粘度及び鏡像力により帯電粒子３３ａ及び帯電粒子３３ｂの引き付けられた状態が維持される。帯電粒子３３ａ及び帯電粒子３３ｂが分散媒３４中で移動可能な逆方向の電界が印加されれば、帯電粒子３３ａ及び帯電粒子３３ｂは再び移動し、位置が逆転することで画像が書き換えられる。前回表示データ１００１として、現在、電気泳動表示部４により表示されている画素情報が記憶される。また、現在表示データ記憶１００２として、次に電気泳動表示部４により表示される画素情報が記憶される。そのため、第１の実施形態では、前回表示データ１００１および現在表示データ１００２として記憶されている画素情報に基づいて、前回表示されていた画素と異なる画素に対応する電極のみに、表示制御部３により、表示を書き換える指令が送られる。表示を書き換える指令が送られた画素に対応する各電極への電圧制御がＣＰＵ２により命令される。電気泳動表示部４は、本発明における不揮発性表示部の一例である。
【００７６】
＜第１の実施形態のメイン動作の説明＞
以上説明した構成からなる第１の実施形態の閲覧端末装置の動作及び作用について、添付図面を参照して説明する。図９は、閲覧端末装置１におけるメイン動作の処理手順を示すフローチャートである。メイン動作は、電池またはコンセントを介して商用電源などの外部電源と閲覧端末装置１とが接続されたことにより、閲覧端末装置１のＣＰＵ２と電源制御部１２とに電力が供給された後に、ＣＰＵ２がメインプログラム９０２を実行することにより、遂行される。以下に示す処理は全てＣＰＵ２により処理される。
【００７７】
第１の実施形態の閲覧端末装置１では、最初にステップＳ１０１で本装置の電源がユーザによりＯＮされたかが判定される。電源スイッチがＯＮにされたと判定されるまで、ステップＳ１０１が繰り返される。電源スイッチがＯＮにされたと判定されると、ステップＳ１０２が実行される。電源スイッチはハードウェアを用いたスイッチであっても、ソフトウェアにより動作されるソフト電源スイッチであっても良い。次にステップＳ１０２では、タイマー２２による時間のカウントがスタートされる。
【００７８】
ステップＳ１０３では、規定時間以内に閲覧端末装置１に備えられた操作キー８１〜操作キー８４の操作が行われたかが判定されるために、タイマー２２による第１時間のカウントがスタートされる。尚、ステップＳ１０３での第１時間のカウントのスタートとは、ステップＳ１０３が実行された時点でのタイマー２２が示す時間をＲＡＭ１０の所定の領域に記憶することである。第１時間は、操作キー８１〜操作キー８４の操作により表示が切り換えられなかった経過時間である。第１の実施形態では、操作キー８１〜操作キー８４の操作に基づいて、電気泳動表示部４の表示が切り換えられる。
【００７９】
ステップＳ１０４では、第１時間が、所定の時間経過したかが判定される。尚、この判定に用いる第１時間は、ステップＳ１０４が実行される時点でタイマー２２が示す時間と、上述のＳ１０３でＲＡＭ１０の所定の領域に記憶した時間との差分を求めることによって算出された時間である。所定の時間が経過していない場合、ステップＳ１０５が実行される。所定の時間が経過した場合、ステップＳ１０７が実行される。
【００８０】
ステップＳ１０５では、操作キー８１〜操作キー８４の操作が行われたかが判断される。操作キー８１〜操作キー８４の操作が検出された場合、ステップＳ１０６が実行される。操作キー８１〜操作キー８４の操作が検出されなかった場合、ステップＳ１０４へ戻る。
【００８１】
ステップＳ１０６では、図１０に示すキー操作イベントプログラム９０３が、ＲＯＭ９から読み出され、実行される。キー操作イベントプログラム９０３の詳細な説明は図１０を用いて後述する。第１の実施形態の閲覧端末装置１では、キー操作イベントとして電気泳動表示部４の表示の切り替えが行われる。操作キー８１〜操作キー８４の操作に対応して、電気泳動表示部４の表示が切り替えられる。電気泳動表示部４の表示の切り替えが行われたことに基づいて、表示の切り替えに関連する情報が、メモリーカード６の端末操作履歴６２０として記憶される。ステップＳ１０６のキー操作イベント終了後、ステップＳ１０３へ戻る。ステップＳ１０６は、本発明のリマインド情報記憶ステップの一例である。
【００８２】
ステップＳ１０７では、タイマー２２により第２時間のカウントをスタートした後、閲覧端末装置１への電力の供給が停止される。システム電源スイッチ２０により、電源ブロック９９とシステム電源３０とが切断される。尚、ステップＳ１０７での第２時間のカウントのスタートとは、ステップＳ１０７が実行された時点でのタイマー２２が示す時間をメモリーカード６の所定の領域に記憶することである。第２時間は、ステップＳ１０７で閲覧端末装置１への電力の供給が停止されてから、再度電力が供給されるまでに経過した時間である。またステップＳ１０７では、閲覧端末装置１への電力の供給が停止される直前に、電気泳動表示部４に表示されている表示情報に関連する端末操作履歴６２０として、イベント情報６２１とキー操作情報６２２と表示履歴情報６２３と時間情報６２４とがメモリーカード６に記憶される。以下、説明の便宜上、図７を参照して操作履歴番号「１０」が記憶される例を説明する。閲覧端末装置１への電力の供給が停止される前に端末操作履歴「１０」のイベント情報６２１として、「電力供給停止」が記憶される。同様に、端末操作履歴「１０」のキー操作情報６２２として、「ｎｕｌｌ」が記憶される。表示履歴情報６２３として、閲覧端末装置１への電力の供給が停止される直前に表示されていた「表示情報１０」が記憶される。時間情報６２４として、閲覧端末装置１への電力の供給が停止される時間である「３：３５：４０」が記憶される。尚、この「３：３５：４０」は、閲覧端末装置１への電力の供給が停止される直前の時点におけるタイマー２２が示す時間である。即ち、Ｓ１０７において記憶される時間情報は、ステップＳ１０２においてタイマー２２がカウントを開始した時点から電力の供給が停止される直前の時点までの経過時間を示している。これらの情報が端末操作履歴６２０として記憶された後に、電力の供給が停止される。以下、階層位置が「メインメニュー￥ドキュメント￥タイトル実験報告￥１章はじめに」で、「１．２課題」というファイル名で記憶されている表示情報ファイルの３ページが、操作履歴番号「１０」の表示履歴情報である例を用いて説明する。
【００８３】
ステップＳ１０８では、操作キー８１〜操作キー８４が操作されたかが判定される。操作キー８１〜操作キー８４の操作が行われたと判定されるまで、ステップＳ１０８が実行される。操作キー８１〜操作キー８４の操作が行われたと判定された場合、ステップＳ１０９が実行される。
【００８４】
ステップＳ１０９では、ステップＳ１０８で操作キーの操作がありと判定されたことに基づいて、閲覧端末装置１への電力の供給が開始される。つまり、システム電源スイッチ２０により、電源ブロック９９とシステム電源３０とが接続される。ステップＳ１０７とステップＳ１０９とが、本発明におけるモード切替ステップの一例である。
【００８５】
ステップＳ１１０では、タイマー２２によりカウントされた第２時間が所定の時間に達したかが判定される。尚、この判定に用いる第２時間は、ステップＳ１１０でタイマー２２が示す時間と、上述のＳ１０７でメモリーカード６に記憶した時間との差分を求めることによって算出された時間である。所定の時間に達していないと判定された場合、ステップＳ１１２が実行される。所定の時間に達したと判定された場合、ステップＳ１１１が実行される。
【００８６】
ステップＳ１１１では、図１１に示すリマインド情報表示プログラム９０４が、ＲＯＭ９から読み出され、実行される。リマインド情報表示プログラム９０４の詳細な説明は図１１を用いて後述する。閲覧端末装置１への電力の供給が停止されている間に電気泳動表示部４により表示されている表示情報の記憶をユーザに思い出させるリマインド情報が表示される。第１の実施形態では、電力の供給が停止されている間、電気泳動表示部４により表示されている表示情報がファイルとして管理されている管理階層位置に基づいた階層位置情報が、リマインド情報として表示される。例えば、電気泳動表示部４により表示されているファイルが「１．２課題」である場合、同じ階層に記憶されるファイル「１．１概要」及びその上位階層のフォルダ「１章はじめに」とフォルダ「２章実験」と「３章まとめ」といったフォルダ及びファイルなどが、リマインド情報として表示される。
【００８７】
ステップＳ１１２では、電源スイッチがＯＦＦされたかが判定される。電源スイッチがＯＦＦにされなかった場合はステップＳ１０３へ戻り、ステップＳ１０３が再び実行される。電源スイッチがＯＦＦにされた場合は、ステップＳ１１３が実行される。ステップＳ１１３では、タイマー２２による時間のカウントがストップされる。ステップＳ１１３が実行された後に、ステップＳ１０１へ戻り、再びステップＳ１０１が実行される。
【００８８】
（キー操作イベント動作の説明）
図１０は、キー操作イベントプログラム９０３により、操作キー８１〜操作キー８４に対応して表示を切り替える処理に関連する動作を示すフローチャートである。まず、ステップＳ２０１では、表示ファイル情報１１０２と表示中ページ情報１１０３とに基づいて、操作キー８１〜操作キー８４の操作により電気泳動表示部４の表示情報が切り替えられる。以下、説明の便宜上、表示ファイル情報１１０２として、図８に示すフォルダ名「１章はじめに」とファイル名「１．２課題」とが、表示中ページ情報１１０２としてページ番号「３」が記憶され、操作キー８４によりページ番号が「３」からページ番号「４」に切り替えられる例を用いて説明する。操作キー８４により、表示ファイル情報１１０２としての「１．２概要」と表示中ページ情報１１０３としてのページ番号「３」とに基づいて、表示情報６１０として、ファイル「１．２課題」に記憶されるページ番号「４」の表示情報がメモリーカード６から読み出される。表示情報６１０として、ファイル「１．２課題」に記憶されるページ番号「４」に対応する表示情報と表示情報の座標情報とが、ページ展開データ１００３として記憶される。現在表示データ１００２として記憶されている表示情報が、前回表示データ１００１としてコピーされる。ページ展開データ１００３として記憶されている座標情報に基づいて、電気泳動表示部４に表示される画素情報が生成され、現在表示データ１００２として記憶される。現在表示データ１００２として記憶されている画素情報が、電気泳動表示部４に出力されることで、電気泳動表示部４により画像が表示される。第１の実施形態では、現在表示データ１００２として記憶されている画素情報と、前回表示データ１００１として記憶されている画素情報とが比較される。比較結果に基づいて、前回表示されていた画素と異なる画素に対応する電極のみに、表示制御部３により表示を書き換える指示が送られる。
【００８９】
ステップＳ２０２では、ステップＳ２０１で表示情報が切り替えられたことに基づいて、端末操作履歴６２０が記憶される。以下、説明の便宜上、操作履歴番号「９」として、ステップＳ２０２で操作キー８４により、図８に示す表示情報ファイル「１．２課題」の４ページ目に切り替えられた例を用いて説明する。上述の図７で説明したように、イベント情報６２１として「表示切替」が、一時記憶される。また、キー操作情報６２２として、ステップＳ１０５で操作された「操作キー８４」の操作情報が一時記憶される。表示履歴情報６２３の「表示情報１０」として、電気泳動表示部４により現在表示されている表示情報ファイル「１．２課題」の４ページ目の表示情報が記憶される。時間情報６２４として、表示が切り替えられた時間「３：２９：００」の時間情報が記憶される。尚、この「３：２９：００」は、表示が切り替えられた時点におけるタイマー２２が示す時間である。即ち、Ｓ２０２において記憶される時間情報は、上述のステップＳ１０２においてタイマー２２がカウントを開始した時点から表示が切り替えられた時点までの経過時間を示している。また、ＥＥＰＲＯＭ１１の表示ファイル情報１１０２として、電気泳動表示部４に現在表示されているファイル「１．２課題」の４ページ目の表示情報が管理されているフォルダ名「１章はじめに」とファイル名「１．２課題」とが記憶される。ＥＥＰＲＯＭ１１の表示中ページ情報１１０３として、電気泳動表示部４に現在表示されている表示情報のページ番号「４」が記憶される。
【００９０】
ステップＳ２０３では第１時間のカウントがリセットされる。これにより、キー操作イベント処理が終了する。尚、ここで第１時間のカウントのリセットとは、Ｓ１０３においてＲＡＭ１０の所定の領域に記憶した時間を消去することである。
【００９１】
（リマインド情報表示処理動作の説明）
図１１は、リマインド情報表示プログラム９０４により、電気泳動表示部４にリマインド情報を表示させる動作を示すフローチャートである。まず、ステップＳ３０１では、電気泳動表示部４により表示されている表示情報の関連情報として、ＥＥＰＲＯＭ１１により記憶されている表示ファイル情報１１０２と表示中ページ情報１１０３とが読み出される。表示ファイル情報１１０２と表示中ページ情報１１０３とに基づいて、ファイル管理プログラム９０１により、電気泳動表示部４に現在表示されている表示情報がファイルとして管理されている階層位置が、管理階層位置として決定される。第１の実施形態では、管理階層位置は、「メインメニュー￥ドキュメント￥タイトル実験報告￥１章はじめに」の階層位置である。管理階層位置に「１．２課題」という名前で表示情報ファイルが管理されている。
【００９２】
ステップＳ３０２では、最上位階層から、ステップＳ３０１で決定された管理階層位置までのフォルダとファイルとが、上位の階層から順に電気泳動表示部４により、階層位置情報として表示される。図１２は、最上位階層からステップＳ３０１で決定された管理階層位置までのフォルダとファイルとが、階層位置情報として上位の階層から順に表示される一例を示す概念図である。図１２に示す表示画面４−ａから表示画面４−ｆは、それぞれ電気泳動表示部４の表示画面の拡大図である。図１２の左上に示す表示画面４−ａは、ステップＳ１０７で電力の供給が停止される直前に表示されていた「メインメニュー￥ドキュメント￥タイトル実験報告￥１章はじめに」の階層位置に「１．２課題」という名前で記憶されている表示情報ファイルの、３ページ目の表示情報が表示されている状態を表している。ステップＳ３０２では図１２に示す表示画面４−ｂからスタートして、図１２に示す矢印の順番である上位の階層の順番に、表示画面４−ｂ、４−ｃ、４−ｄ、４−ｅが所定の時間ごとに電気泳動表示部４により表示される。各表示画面４−ｂ〜４−ｅに示す階層のフォルダとファイルとが、電気泳動表示部４により表示される。表示画面４−ｂにより、フォルダ「ドキュメント」と「ＲＳＳ」と「お気に入り１」と「お気に入り２」と「設定メニュー」とが表示されている。表示画面４−ｃにより、フォルダ「ドキュメント」と「ＲＳＳ」と「お気に入り１」と「お気に入り２」と「設定メニュー」とが表示されるとともに、上述の表示画面４−ｂに表示されていたフォルダの下位階層のフォルダ「タイトル実験報告」と「タイトル論文」とが表示されている。表示画面４−ｄにより、表示画面４−ｃに表示されていたフォルダに加え、上述の表示画面４−ｃに表示されていたフォルダの下位階層のフォルダ「１章はじめに」と「２章実験」と「３章まとめ」とが表示されている。表示画面４−ｅにより、表示画面４−ｄに表示されていたフォルダに加え、上述の表示画面４−ｄに表示されていたフォルダの下位階層のファイル「１．１概要」と「１．２課題」とが表示されている。図１２に示す特定情報１０１から特定情報１０４は、「メインメニュー￥ドキュメント￥タイトル実験報告￥１章はじめに」の階層位置に「１．２課題」という名前で記憶されている表示情報ファイルが記憶されているフォルダ又はファイルを特定するための表示情報である。特定情報１０１から特定情報１０４は、ＥＥＰＲＯＭ１１に記憶されている表示ファイル情報１１０２に基づいて、ファイル管理プログラム９０１により決定される。表示画面４−ｂでは、現在表示されている「１．２課題」というファイルが記憶されるフォルダ「ドキュメント」に対して、特定情報１０１が付与されている。表示画面４−ｃでは、現在表示されている「１．２課題」というファイルが記憶されるフォルダ「タイトル実験報告」に対して、特定情報１０２が付与されている。同様に、表示画面４−ｄでは、フォルダ「１章はじめに」に対して特定情報１０３が付与されている。表示画面４−ｅでは、現在表示されている「１．２課題」というファイルそのものに対して、特定情報１０４が付与されている。特定情報が付与されることで、ユーザは現在表示されているファイルが記憶されている階層位置を把握することができる。
【００９３】
ステップＳ３０３では、図１２において最後の矢印で示された表示画面４−ｆにより、ステップＳ１０７で電力の供給が停止されたときに表示されていた「メインメニュー￥ドキュメント￥タイトル実験報告￥１章はじめに」の階層位置に「１．２課題」という名前で記憶されている表示情報ファイルの３ページ目の表示情報が再び表示される。
【００９４】
ステップＳ３０４では、第２時間のカウントがリセットされる。これにより、リマインド情報表示処理が終了する。ステップＳ３０１からステップＳ３０４のリマインド情報を表示させる動作は、本発明の制御ステップの一例である。尚、ステップＳ３０４の第２時間のカウントのリセットとは、上述のステップＳ１０７でメモリーカード６の所定の領域に記憶した時間を消去することである。
【００９５】
［第２の実施形態］
以下、閲覧端末装置１に本発明を適用した第２の実施形態について図面を参照して説明する。第２の実施形態の外観的構成及び電気的構成は、第１の実施形態とほぼ同じ構成であるので、相違する部分についてのみ説明する。第２の実施形態では、リマインド情報として、メモリーカード６の端末操作履歴６２０における表示履歴情報６２３が表示される。
【００９６】
＜第２の実施形態のメイン動作の説明＞
第２の実施形態のメイン動作プログラムの動作及び作用は、第１の実施形態のメイン動作プログラム９０２と同じであるので、説明を省略する。
【００９７】
（キー操作イベント動作の説明）
第２の実施形態のキー操作イベントプログラムの動作及び作用は、第２の実施形態のキー操作イベントプログラム９０３と同じであるので、説明を省略する。
【００９８】
（リマインド情報表示処理動作の説明）
図１３は、リマインド情報表示プログラム９０４に従う電気泳動表示部４にリマインド情報を表示させる動作を示すフローチャートである。まず、ステップＳ４０１では、リマインド情報として記憶されている端末操作履歴６２０が記憶されているかが判断される。端末操作履歴６２０として操作履歴が記憶されていない場合、ステップＳ４０４が実行される。端末操作履歴６２０として操作履歴が記憶されている場合、ステップＳ４０２が実行される。
【００９９】
ステップＳ４０２では、タイマー２２によりカウントされた第２時間に基づいて、リマインド情報として表示される操作履歴の数と、電気泳動表示部４にリマインド情報の表示を維持する表示維持時間とが決定される。第２の実施形態では、タイマー２２により７時間カウントされたとして、以下に説明する。図１４は、タイマー２２によりカウントされた第２時間に対応する表示維持時間と操作履歴数とが表示維持時間情報６３０としてメモリーカード６に記憶されている記憶状態を示す概念図である。図１４に示す記憶内容であるテーブルに従って、タイマー２２により７時間カウントされているため、表示維持時間は２秒、操作履歴数は「５」と決定される。
【０１００】
ステップＳ４０３では、端末操作履歴６２０に基づいて、これまで電気泳動表示部４により過去表示された表示履歴がリマインド情報として表示される。ステップＳ４０２で、タイマー２２によりカウントされた第２時間に基づいて決定された操作履歴数「５」の表示履歴が表示される。図７に示す操作履歴番号の中で、端末操作履歴６２０として、記憶されたのが遅い（操作履歴番号が大きい）ものから５つの操作履歴番号「６」〜「１０」の表示履歴情報がメモリーカード６から読み出されて、順に電気泳動表示部４により表示される。図１５は、読み出された端末操作履歴６２０の操作履歴が早い順（操作履歴番号の小さい順）に、電気泳動表示部４により表示履歴情報６２３が表示される概念図を示す。図１５に示す表示画面４−ｇから表示画面４−ｌは、それぞれ電気泳動表示部４の表示画面を示す拡大図である。図１５の左上には、「メインメニュー￥ドキュメント￥タイトル実験報告￥１章はじめに」の階層位置に「１．２課題」という名前で記憶されている表示情報ファイルの３ページの表示情報が表示画面４−ｇにより表示されている例を表している。また、図１５はそれぞれ、表示画面４−ｈにより操作履歴番号「６」に対応する表示履歴情報６２３が表示された例を示している。また、表示画面４−ｉは、操作履歴番号「７」に対応する表示履歴情報６２３が表示された例を示している。表示画面４−ｊは、操作履歴番号「８」に対応する表示履歴情報６２３が表示された例を示している。表示画面４−ｋは、操作履歴番号「９」に対応する表示履歴情報６２３が表示された例を示している。表示画面４−ｌは、操作履歴番号「１０」に対応する表示履歴情報６２３が表示された例を示している。操作履歴番号「１０」に対応する表示履歴情報６２３は、「メインメニュー￥ドキュメント￥タイトル実験報告￥１章はじめに」の階層位置に「１．２課題」という名前で記憶されている表示情報ファイルの３ページの表示情報である。つまり、表示画面４−ｇと同じ表示である表示画面４−ｌが、再び表示される。ステップＳ４０３では図１５の表示画面４−ｈからスタートして、端末操作履歴６２０として記憶された時間早い順番（操作履歴番号の小さい順）である矢印の順番に、表示画面４−ｈ、４−ｉ、４−ｊ、４−ｋ、４−ｌが、電気泳動表示部４により所定の時間ごとに表示される。各表示画面４−ｈ〜４−ｌにおいてリマインド情報として表示履歴６２３が、電気泳動表示部４により表示される。図１５に示す表示画面４−ｈ、４−ｉ、４−ｊ、４−ｋ、４−ｌにより表示されるリマインド情報はそれぞれ、ステップＳ４０２で決定された表示維持時間の２秒間の間、表示が維持される。
【０１０１】
ステップＳ４０４では、リマインド情報として表示される端末操作履歴がなかったため、リマインド情報が出力されないことを決定する。また、ステップＳ４０４では、リマインド情報を出力しない旨の表示情報が、電気泳動表示部４により表示されても良い。ステップＳ４０１からステップＳ４０４のリマインド情報を表示させる動作は、本発明の制御ステップの一例である。
【０１０２】
ステップＳ４０５では、第２時間のカウントがリセットされる。これにより、リマインド情報表示処理が終了する。
【０１０３】
［第３の実施形態］
以下、閲覧端末装置１に本発明を適用した第３の実施形態について図面を参照して説明する。第３の実施形態の外観的構成及び電気的構成は、第１の実施形態とほぼ同じ構成であるので、相違する部分についてのみ説明する。第３の実施形態では、リマインド情報として、表示中ページ情報１１０３に含まれるページ番号より前のページ番号の表示情報から、表示中ページ情報１１０３に含まれるページ番号までの表示情報が電気泳動表示部４により表示される。
【０１０４】
＜第３の実施形態のメイン動作の説明＞
第３の実施形態のメイン動作プログラムの動作及び作用は、第１の実施形態のメイン動作プログラム９０２と同じであるので、説明を省略する。
【０１０５】
（キー操作イベント動作の説明）
第３の実施形態のキー操作イベントプログラムの動作及び作用は、第３の実施形態のキー操作イベントプログラム９０３と同じであるので、説明を省略する。
【０１０６】
（リマインド情報表示処理動作の説明）
図１６は、リマインド情報表示プログラム９０４により、電気泳動表示部４にリマインド情報を表示させる動作を示すフローチャートである。まず、ステップ５０１では、ページ中表示情報１１０３が記憶されているかが判定される。ページ中表示情報１１０３が「ｎｕｌｌ」の場合、ステップＳ５０５が実行される。ページ中表示情報１１０３として、情報が記憶されている場合、ステップＳ５０２が実行される。
【０１０７】
ステップＳ５０２では、タイマー２２でカウントされた第２時間に基づいて、リマインド情報として表示するページ枚数と、電気泳動表示部４にリマインド情報の表示を維持する表示維持時間とが決定される。図１７は、タイマー２２によりカウントされた第２時間に対応する表示維持時間とリマインド情報として表示するページ枚数とが、表示維持時間情報６３０としてメモリーカード６に記憶されている記憶状態を示す概念図である。第３の実施形態では、第２の実施形態と同様に、タイマー２２により第２時間が７時間カウントされたとして、以下に説明する。図１７に示すテーブルに従って、タイマー２２により第２時間が７時間カウントされていることに基づいて、表示維持時間は２秒、ページ枚数は「５」と決定される。
【０１０８】
ステップＳ５０３では、表示ファイル情報１１０２と表示中ページ情報１１０３とに基づいて、ステップＳ１０７で電力の供給が停止される直前に電気泳動表示部４により表示されていた表示情報及びページ番号が決定される。
【０１０９】
ステップＳ５０４では、ステップＳ５０３で決定された表示情報及びページ番号と、ステップＳ５０２で決定されたページ枚数及び表示維持時間とに基づいて、リマインド情報が電気泳動表示部４に出力される。第３の実施形態では、リマインド情報として電気泳動表示部４に表示されていた表示情報のページ番号が小さいものから順に表示される。ステップＳ５０２でタイマー２２によりカウントされた第２時間に基づいて決定されたページ枚数よりも、表示中ページ情報１１０３に記憶されているページ番号が小さい場合、表示ファイル情報１１０２に対応する表示情報ファイルの１ページ目から表示中ページ情報１１０３のページ番号までの表示情報が、リマインド情報として電気泳動表示部４により表示される。以下、説明の便宜上、表示ファイル情報１１０２として「１．２課題」が、表示中ページ情報として「３」が記憶されている例を用いて説明する。第３の実施形態では、表示中ページ情報として記憶されているページ番号「３」が、ステップＳ５０２で決定されたページ枚数「５」よりも小さいため、表示ファイル情報１１０２の１ページ目から、表示情報ファイル情報の表示中ページ情報１１０３として記憶される３ページ目までが電気泳動表示部４により表示される。図１８は、ステップＳ５０２で決定されたページ枚数より前のページ番号からページ番号の小さい順に、所定の時間ごとに電気泳動表示部４により表示情報が表示される概念図を示す。図１８に示す表示画面４−ｍから表示画面４−ｐは、それぞれ電気泳動表示部４の表示画面を示す拡大図である。図１８の左上は、ステップＳ１０７で電力の供給が停止される直前に、電気泳動表示部４によりに表示されていた「メインメニュー￥ドキュメント￥タイトル実験報告￥１章はじめに」の階層位置に「１．２課題」という名前で記憶されている表示情報ファイルの３ページ目の表示情報が、表示画面４−ｍにより表示されている状態を表している。表示画面４−ｎにより、「メインメニュー￥ドキュメント￥タイトル実験報告￥１章はじめに」の階層位置に「１．２課題」という名前で記憶されている表示情報ファイルの１ページ目の表示情報が表示される。表示画面４−ｏにより、「メインメニュー￥ドキュメント￥タイトル実験報告￥１章はじめに」の階層位置に「１．２課題」という名前で記憶されている表示情報ファイルの２ページの表示情報が表示されている。表示画面４−ｐにより、「メインメニュー￥ドキュメント￥タイトル実験報告￥１章はじめに」の階層位置に「１．２課題」という名前で記憶されている表示情報ファイルの３ページの表示情報が表示されている。
【０１１０】
図１８に最後の矢印で示す表示画面４−ｐは、ステップＳ１０７で電力の供給が停止されたときに表示されていた表示画面４−ｍと同じ表示である。表示画面４−ｍと同じ表示である表示画面４−ｐが、再び表示される。
【０１１１】
ステップＳ５０５では、リマインド情報として表示されるページ中情報１１０３がなかったため、リマインド情報が出力されないことを決定する。また、ステップＳ５０５では、リマインド情報を出力しない旨の表示情報が、電気泳動表示部４により表示されても良い。ステップＳ５０１からステップＳ５０５のリマインド情報を表示させる動作は、本発明の制御ステップの一例である。
【０１１２】
ステップＳ５０６では、第２時間のカウントがリセットされる。これにより、リマインド情報表示処理が終了する。
【０１１３】
（変形例１）
第１の実施形態のリマインド情報表示処理の変形例１について、図面を参照し、以下に説明する。
【０１１４】
図１９は、変形例１のリマインド情報表示の処理手順を示すフローチャートである。まず、ステップＳ６０１では、電気泳動表示部４により表示されている表示情報の関連情報として、ＥＥＰＲＯＭ１１により記憶されている表示ファイル情報１１０２と表示中ページ情報１１０３とが読み出される。表示ファイル情報１１０２と表示中ページ情報１１０３とに基づいて、ファイル管理プログラム９０１により、電気泳動表示部４に現在表示されている表示情報のファイルとして管理されている管理階層位置が決定される。
【０１１５】
ステップＳ６０２では、ステップＳ６０１で決定された管理階層位置とその１つ上位の階層のフォルダとファイルとが、上位の階層から順に電気泳動表示部４により表示される。図２８は、管理階層位置とその１つ上位の階層のフォルダとファイルとが表示される一例を示す概念図である。表示画面４−ｓは、管理階層位置のフォルダとファイルとを示す。即ち、表示画面４−ｓでは、端末電力供給の停止の直前に表示していたファイルと同階層にあるフォルダとファイルの一覧が表示される。表示画面４−ｒは、管理階層位置の１つ上位の階層のフォルダとファイルとを示す。表示画面４−ｒでは、端末電力供給の停止の直前に表示していたファイルの階層よりも一つ上位の階層にあるフォルダとファイルの一覧が表示される。特定情報１０５及び特定情報１０６は、表示画面４−ｑが示す表示情報ファイルが記憶されるフォルダまたはファイルである。ステップＳ６０２では図２８に示すように、表示画面４−ｒ、表示画面４−ｓの順番に、表示情報が表示される。
【０１１６】
ステップＳ６０３では、ステップＳ１０６で閲覧端末装置１に電力供給が停止される直前に、電気泳動表示部４により表示されていた表示情報（表示画面４−ｔ）が、再度表示される。
【０１１７】
ステップＳ６０４では、第２時間のカウントがリセットされる。これにより、リマインド情報表示処理が終了する。尚、変形例１では、管理階層位置とその１つ上位の階層のフォルダとファイルとが、リマインド情報として表示されたが、管理階層位置とその複数個の上位の階層のフォルダとファイルとが、表示されても良い。
【０１１８】
（変形例２）
第１の実施形態のリマインド情報表示処理の変形例２について、図面を参照し、以下に説明する。
【０１１９】
図２０は、変形例２のリマインド情報表示の処理手順を示すフローチャートである。まず、ステップＳ７０１では、電気泳動表示部４により表示されている表示情報の関連情報として、ＥＥＰＲＯＭ１１により記憶されている表示ファイル情報１１０２と表示中ページ情報１１０３とが読み出される。表示ファイル情報１１０２と表示中ページ情報１１０３とに基づいて、ファイル管理プログラム９０１により、電気泳動表示部４に現在表示されている表示情報のファイルとして管理されている管理階層位置が決定される。
【０１２０】
ステップＳ７０２では、タイマー２２でカウントされた第２時間に基づいて、リマインド情報として表示する階層数と、電気泳動表示部４にリマインド情報の表示を維持する表示維持時間とが決定される。図２１は、タイマー２２によりカウントされた第２時間に対応する表示維持時間とリマインド情報として表示される階層位置情報の階層数とが、表示維持時間情報６３０としてメモリーカード６に記憶されている記憶状態を示す概念図である。第１の実施形態の変形例２では、タイマー２２により第２時間が７時間カウントされたとして、以下に説明する。図２１に示すテーブルに従って、第２時間が７時間であることに対応して、表示維持時間は２秒、階層数は「２」と決定される。
【０１２１】
ステップＳ７０３では、ステップＳ７０１で決定された管理階層位置からステップＳ７０２で決定された階層数だけ上位の階層位置から管理階層位置までのフォルダとファイルとが、階層位置情報として上位の階層から順に電気泳動表示部４により表示される。
【０１２２】
ステップＳ７０４では、ステップＳ１０７で閲覧端末装置１に電力の供給が停止される直前に、電気泳動表示部４により表示されていた表示情報が、再度表示される。
【０１２３】
ステップＳ７０５では、第２時間のカウントがリセットされる。これにより、リマインド情報表示処理が終了する。
【０１２４】
（変形例３）
第１の実施形態のリマインド情報表示処理の変形例２のステップＳ７０２の変形例３として、リマインド情報として表示する階層数が、予め決められていても良い。
【０１２５】
（変形例４）
第２の実施形態のリマインド情報表示処理の変形例４について、図面を参照し、以下に説明する。
【０１２６】
図２２は、変形例１のリマインド情報表示の処理手順を示すフローチャートである。まず、ステップＳ８０１では、リマインド情報として記憶されている端末操作履歴６２０が記憶されているかが判定される。端末操作履歴６２０に操作履歴が記憶されていない場合、ステップＳ８０４が実行される。端末操作履歴６２０に操作履歴が記憶されている場合、ステップＳ８０２が実行される。
【０１２７】
ステップＳ８０２では、タイマー２２でカウントされた第２時間に基づいて、電気泳動表示部４にリマインド情報の表示を維持する表示維持時間が決定される。
【０１２８】
ステップＳ８０３では、端末操作履歴６２０に基づいて、電気泳動表示部４により過去に表示された表示履歴がリマインド情報として表示される。ステップＳ１０７で電力の供給が停止される前に前回電力の供給が停止された以降に、端末操作履歴６２０として記憶された操作履歴がリマインド情報として表示される。図７では、操作履歴番号「３」のイベント情報が、「電力供給停止」と記憶されている。その後、操作履歴番号「４」から「９」までは、イベント情報が「表示切替」と記憶され、操作履歴番号「１０」のイベント情報が「電力供給停止」と記憶されている。そのため、ステップＳ１０７で電力の供給が停止される前に前回電力の供給が停止された以降に、端末操作履歴６２０として記憶された操作履歴は、操作履歴番号「３」から「１０」までの操作履歴と決定される。操作履歴番号「３」から「１０」に対応する表示履歴情報がリマインド情報として、端末操作履歴６２０に記憶された時間が早い順（操作履歴番号の小さい順）に、電気泳動表示部４により表示される。
【０１２９】
ステップＳ８０４では、リマインド情報として表示される端末操作履歴６２０がなかったため、リマインド情報が出力されないことを決定する。また、ステップＳ８０４では、リマインド情報を出力しない旨の表示情報が、電気泳動表示部４により表示されても良い。
【０１３０】
ステップＳ８０５では、第２時間のカウントがリセットされる。これにより、リマインド情報表示処理が終了する。
【０１３１】
（変形例５）
第２の実施形態のリマインド情報処理のステップＳ４０２の変形例５として、リマインド情報として表示する操作履歴数が、予め決められていても良い。
【０１３２】
（変形例６）
第３の実施形態のリマインド情報表示処理のステップＳ５０２の変形例６として、リマインド情報として表示するページ枚数が、予め決められていても良い。
【０１３３】
（変形例７）
第１の実施形態のリマインド情報表示処理のステップＳ３０２の変形例７として、図２３に示すように、上位の階層から順に表示せず、一度に全ての階層のフォルダ及びファイルがリマインド情報として電気泳動表示部４により表示されても良い。
【０１３４】
（変形例８）
第２の実施形態のリマインド情報処理のステップＳ４０３の変形例８として、図２４に示すように、新しい操作履歴から順に表示せず、一度に全ての操作履歴がリマインド情報として電気泳動表示部４により表示されても良い。
【０１３５】
（変形例９）
第３の実施形態のリマインド情報処理のステップＳ５０４の変形例９として、図２５に示すように、ページ番号の小さい表示情報から順に表示せず、一度に全てのページの表示情報がリマインド情報として電気泳動表示部４により表示されても良い。
【０１３６】
（変形例１０）
第１の実施形態、第２の実施形態及び第３の実施形態において、メイン動作のステップＳ１０７及びステップＳ１１０のタイマー２２による第２時間のカウントが行われなくても良い。
【０１３７】
（変形例１１）
第１の実施形態の図１２に示す特定情報１０１から特定情報１０４が表示されなくても良い。
【０１３８】
（変形例１２）
第１の実施形態、第２の実施形態及び第３の実施形態において、リマインド情報表示処理において、ステップＳ４０２、ステップＳ５０２及びステップＳ７０２で決定される表示維持時間が予め決められていても良い。また、タイマー２２により決定される表示維持時間は、第１の実施形態、第２の実施形態及び第３の実施形態に示したものに限定されるものではない。ユーザが、任意の時間を設定しても良い。
【０１３９】
（変形例１３）
第１の実施形態のリマインド情報表示処理においてリマインド情報として表示されるフォルダ及びファイルが、図２６に示すように電気泳動表示部４により全て表示されても良い。図２７に示すように、リマインド情報として表示されるフォルダ及びファイルの全てではなく、一部が表示されても良い。また、電気泳動表示部４により表示されている表示情報が管理されている管理階層位置を示す上位階層からのパスが文字により表示されても良い。
【０１４０】
（変形例１４）
第１の実施形態、第２の実施形態及び第３の実施形態において、メイン動作のステップＳ１０５及びステップＳ１０８で、操作キー８１〜操作キー８４が操作されたか否かが判定されている。ステップＳ１０５及びステップＳ１０８で、キー８１から操作キー８４が操作されたかを判定するのではなく、電気泳動表示部４の表示が切り替えられたか否かの判定により、処理を決定しても良い。
【０１４１】
（変形例１５）
第１の実施形態、第２の実施形態及び第３の実施形態において、メイン動作ステップＳ１０７及びステップＳ１０９により閲覧端末装置１への電力の供給と停止とが行われている。ステップＳ１０７及びステップＳ１０９では、システム電源スイッチ２０により、電源ブロック９９とシステム電源３０との切断及び接続により、電力の供給と停止とが行われている。システム電源スイッチ２０により、ＣＰＵ２と電源制御部１２以外の電気的構成との切断及び接続が実行されているが、少なくとも電気泳動表示部４の駆動電圧が供給されない状態及び供給される状態に切り替えられれば良い。
【０１４２】
（変形例１６）
第１の実施形態、第２の実施形態及び第３の実施形態において電気泳動表示部４が用いられている。本明細書では、電気泳動表示装置を用いているが、駆動電圧が供給されていないときに、表示されている表示情報を維持するメモリー効果を備える表示装置であれば、特に限定されない。電子粉粒体により構成される表示装置であっても良い。
【０１４３】
（変形例１７）
第１の実施形態、第２の実施形態及び第３の実施形態において、メイン動作のステップＳ１０５及びステップＳ１０８で、操作キー８１〜操作キー８４が操作されたか否かが判定されている。ステップＳ１０５及びステップＳ１０８で、閲覧端末装置１で操作キー８１〜操作キー８４の操作以外のイベント、例えば、メール受信、ＲＳＳ受信、ワイヤレスデータ受信といった外部装置からの通信イベントまたは、割り込み処理の判定により、端末操作履歴６２０が新たに記憶されても良い。
【０１４４】
(変形例１８)
第１の実施形態のリマインド情報表示処理動作のステップＳ３０３及び第２の実施形態のリマインド情報表示処理動作のステップＳ４０３及び第３の実施形態のリマインド情報表示処理動作のステップＳ５０４及び第１の実施形態の変形例１のリマインド情報表示処理動作のステップＳ６０３及び第１の実施形態の変形例２のステップＳ７０４及び第２の実施形態の変形例４のリマインド情報表示処理動作のステップＳ８０３では、閲覧端末装置１の電力の供給が停止される直前の表示情報（メイン動作のステップＳ１０７で表示されていた表示情報）が再度表示されている。変形例１８は、電力の供給が停止される直前の表示情報に限定されるものではない。例えば、ステップＳ１０７で表示されていた表示情報に代わり、図１２に示す表示画面４−ｂにより表示されているメインメニューが表示されても良い。また、ステップＳ１０７で表示されていた表示情報のページ番号より１つ大きい表示情報、または、１つ小さいページ番号に対応する表示情報が表示されても良い。なお、ステップＳ１０７で表示されていた表示情報が再度表示されることにより、ユーザはステップＳ１０７で電源の供給が停止される直前の状態から閲覧端末装置１を使用することができる。そのため、閲覧端末装置１の操作性が向上する。ユーザがステップＳ１０７で電源の供給が停止される直前の状態から閲覧端末装置１を使用しないことも考えられるので、ステップＳ１０７で表示していた表示情報を再度表示せず、メインメニューが表示されても良い。
【０１４５】
（変形例１９）
第１の実施形態及び第２の実施形態及び第３の実施形態のメイン動作のステップＳ１１１において、ステップＳ１０８で操作キー８１〜８４が操作されたことに基づいて、閲覧端末装置１への電源の供給が開始され、リマインド情報が電気泳動表示部４により表示されているが、操作キー８１から操作キー８４に限定されるものではない。例えば、閲覧端末装置１への電源の供給及び停止を切り替えるための電源スイッチ、電源ボタンなどが閲覧端末装置１に備えられている場合、上述の電源スイッチ、電源ボタンなどに基づいて、閲覧端末装置１への電源の供給が開始され、リマインド情報が電気泳動表示部４により表示される構成でも良い。
【符号の説明】
【０１４６】
１  閲覧端末装置
２  ＣＰＵ
３  表示制御部
４  電気泳動表示部
５  メモリーカードインタフェース
６  メモリーカード
７  キーインタフェース
９  ＲＯＭ
１０  ＲＡＭ
１１  ＥＥＰＲＯＭ
１２  電源制御部
２０  システム電源スイッチ
２１  画素
２２  タイマー
３０  システム電源
３３ａ、３３ｂ  帯電粒子
３４  分散媒
３５  画素空間
４０  マスク部
５０  下部基板
５１  下部電極保護膜
５２  下部電極
５３  筐体支持部
６０  上部基板
６１  上部電極保護膜
６２  上部電極
６３  表示層
７０  表示部
７１  スペーサー
８０  挿入口
８１、８２、８３、８４  操作キー
９１−ａ、９１−ｂ、９１−ｃ、９１−ｄ、９１−ｅ、９１−ｆ、９１−ｇ、９１−ｈ、９１−ｉ、９１−ｊ、９１−ｋ、９１−ｌ、９１−ｍ  フォルダ
９２−ａ、９２−ｂ、９２−ｃ、９２−ｄ、９２−ｅ、９２−ｆ、９２−ｇ、９２−ｈ
ファイル
９９  電源ブロック
１０１、１０２、１０３、１０４、１０５、１０６  特定情報
６１０  表示情報
６２０  端末操作履歴
６２１  イベント情報
６２２  キー操作情報
６２３  表示履歴情報
６２４  時間情報
６３０  表示維持時間情報
９０１  ファイル管理プログラム
９０２  メイン動作プログラム
９０３  キー操作イベントプログラム
９０４  リマインド情報表示プログラム
１００１  前回表示データ
１００２  現在表示データ
１００３  ページ展開データ
１１０２  表示ファイル情報
１１０３  表示中ページ情報
４−ａ、４−ｂ、４−ｃ、４−ｄ、４−ｅ、４−ｆ、４−ｇ、４−ｈ、４−ｉ、４−ｊ、４−ｋ、４−ｌ、４−ｍ、４−ｎ、４−ｏ、４−ｐ、４−ｑ、４−ｒ、４−ｓ、４−ｔ  電気泳動表示部の表示画面
【図１】
2009258675.tif 000003
【図２】
2009258675.tif 000004
【図３】
2009258675.tif 000005
【図４】
2009258675.tif 000006
【図５】
2009258675.tif 000007
【図６】
2009258675.tif 000008
【図７】
2009258675.tif 000009
【図８】
2009258675.tif 000010
【図９】
2009258675.tif 000011
【図１０】
2009258675.tif 000012
【図１１】
2009258675.tif 000013
【図１２】
2009258675.tif 000014
【図１３】
2009258675.tif 000015
【図１４】
2009258675.tif 000016
【図１５】
2009258675.tif 000017
【図１６】
2009258675.tif 000018
【図１７】
2009258675.tif 000019
【図１８】
2009258675.tif 000020
【図１９】
2009258675.tif 000021
【図２０】
2009258675.tif 000022
【図２１】
2009258675.tif 000023
【図２２】
2009258675.tif 000024
【図２３】
2009258675.tif 000025
【図２４】
2009258675.tif 000026
【図２５】
2009258675.tif 000027
【図２６】
2009258675.tif 000028
【図２７】
2009258675.tif 000029
【図２８】
2009258675.tif 000030